(57)【要約】      （修正有）【課題】軸部の外端部に所定のローラー（サイドローラー）が回転可能に設けられているローラーチェーンにおいて、修理交換部位のリンクの切断を簡易になし得、構造簡単にして、その取扱いの利便性を良化向上し得るローラーチェーンカッターを提供する。【解決手段】ローラーチェーン用のチェーンカッター１は、所定の間隔をおいて相対向する対の支持部２、３が突設されたべース部材４と、一方の支持部２側に設けられた受承部材５と、他方の支持部３に対し前記受承部材５と対向状に設けられた作動筒部材６と、該作動筒部材６に対し移動可能に設けられた軸ピン排出軸体７とから構成されている。【選択図】図２
0003147838.tif 000002
【実用新案登録請求の範囲】
【請求項１】
所定の間隔をおいて相対向する対の支持部が突設されたべース部材と、一方の支持部に形成されかつ切断すべきローラーチェーンの当該切断部位のローラー及び同ローラーの軸ピンを受け入れ可能な受承孔と、この受承孔に螺合されかつ該受承孔とともに切断すべきローラーチェーンの当該切断部位のローラーの軸ピンを受け入れ可能な受承部材と、他方の支持部に対し前記受承部材に向う方向及び該受承部材から離間する方向に移動可能に螺合されかつ先端部が前記一方の支持部の内面とにより切断すべきローラーチェーンの当該切断部位のリンクを両側面から挟持する当接部となした作動筒部材と、該作動筒部材に移動可能に螺合されかつ前記切断すべきローラーチェーンの軸ピンを受承部材の受承孔側に押出する軸ピン排出軸体とを備え、前記受承部材と作動筒部材により切断すべきローラーチェーンの当該切断部位のリンクを両側面から挟持するとともに、該作動筒部材に対する前記軸ピン排出軸体の螺進動作により切断すべきローラーチェーンの当該切断部位の軸ピンを押出すように構成されていることを特徴とするローラーチェーン用のチェーンカッター。
【請求項２】
請求項１記載のローラーチェーン用のチェーンカッターであって、前記受承部材を前記受承孔に対し取外し可能に螺合し、前記軸ピンが抜脱された後の前記ローラーを該受承孔から排除可能に構成したことを特徴とするローラーチェーン用のチェーンカッター。
【請求項３】
請求項１または２記載のローラーチェーン用のチェーンカッターであって、前記ベース部材における支持部の厚さ寸法を、前記ローラーチェーンの当該切断部位のサイドローラーに対して対向側における隣り合う両サイドローラーの外周間の間隔より幅狭に設定したことを特徴とするローラーチェーン用のチェーンカッター。
【考案の詳細な説明】
【技術分野】
【０００１】
この考案は、例えば、フリーフローコンベア等に使用されているローラーチェーンにおいて、該ローラーチェーンを構成するローラー、軸、リンク等の各部材を修理交換等するに際して、当該修理交換部位のリンクを切断するために用いられるローラーチェーン用のチェーンカッターに関する。
【背景技術】
【０００２】
一般に、チェーンの切断作業に供される手動工具としてのチェーンカッターにあっては、該チェーンを構成する各リンクにおける連結部位の軸部（連結ピン）を該リンクから抜脱することによって切断する構造で種々ものが案出されている。例えば、チェーンの切断すべき軸部（連結ピン）のリンクを本体部にセットするとともに、軸抜きピンを該切断すべき軸部（連結ピン）に対向して配置し、ハンドル部をねじ込み方向に回して前記軸抜きピンを移動し、この軸抜きピンを軸部（連結ピン）に押し当てながら該軸部（連結ピン）をリンクから外側に抜脱して切断するように構成されている。（特許文献１参照）
【特許文献１】特開２００４−３５１５２６号
【考案の開示】
【考案が解決しようとする課題】
【０００３】
しかしながら、この種のフリーフローコンベア等に使用されているローラーチェーンにおいては、各リンクを連結する軸部の外端部に所定のローラー（サイドローラー）が回転可能に設けられているため、その切断作業にあって、上記した既存の手動工具としてのチェーンカッターではその構造上、そのまま対応することが困難であり、結局、その作業現場においては、チェーンカッターを使用することなく、携帯用グラインダー等によりリンクと軸部（連結ピン）との嵌着部位を削り取って切断する旧来の切断手段が行われているのが現状であり、この種のローラーチェーンの交換修理等にあっては、軸部の外端部に所定のローラー（サイドローラー）が回転可能に設けられているローラーチェーンのカッターが強く希求されていた。
そこで、本考案は、上記した問題点に鑑み、軸部の外端部に所定のローラー（サイドローラー）が回転可能に設けられているローラーチェーンにおいて、当該修理交換部位のリンクの切断を簡易になし得、構造簡単にして、その取扱いの利便性を良化向上し得るローラーチェーン用のチェーンカッターを提供することを課題とする。
【課題を解決するための手段】
【０００４】
上記した課題は、以下の請求項記載の考案によって解決される。すなわち、請求項１に記載の考案は、所定の間隔をおいて相対向する対の支持部が突設されたべース部材と、一方の支持部に形成されかつ切断すべきローラーチェーンの当該切断部位のローラー及び同ローラーの軸ピンを受け入れ可能な受承孔と、この受承孔に螺合されかつ該受承孔とともに切断すべきローラーチェーンの当該切断部位のローラーの軸ピンを受け入れ可能な受承部材と、他方の支持部に対し前記受承部材に向う方向及び該受承部材から離間する方向に移動可能に螺合されかつ先端部が前記一方の支持部の内面とにより切断すべきローラーチェーンの当該切断部位のリンクを両側面から挟持する当接部となした作動筒部材と、該作動筒部材に移動可能に螺合されかつ前記切断すべきローラーチェーンの軸ピンを受承部材の受承孔側に押出する軸ピン排出軸体とを備え、前記受承部材と作動筒部材により切断すべきローラーチェーンの当該切断部位のリンクを両側面から挟持するとともに、該作動筒部材に対する前記軸ピン排出軸体の螺進動作により切断すべきローラーチェーンの当該切断部位の軸ピンを押出すように構成されていることを要旨とする。
【０００５】
この構成によれば、受承部材と作動筒部材により切断すべきローラーチェーンの当該切断部位のリンクを両側面から挟持するとともに、この受承部材の受承孔により切断部位のローラー及び同ローラーの軸ピンを受け入れて、該作動筒部材に対する前記軸ピン排出軸体の螺進動作により切断すべきローラーチェーンの当該切断部位の軸ピンを押出すようにして該軸ピンをリンクから抜脱することによって、該リンクを切断することができるものである。
【０００６】
請求項２に記載の考案は、請求項１記載のローラーチェーン用のチェーンカッターであって、前記受承部材を前記受承孔に対し取外し可能に螺合し、前記軸ピンが抜脱された後の前記ローラーを該受承孔から排除可能に構成したことを要旨とする。
【０００７】
この構成によれば、受承部材を前記受承孔に対し取外し可能に螺合することによって、リンクから軸ピンが抜脱された後のローラー、すなわち、受承孔に受け入れられているローラーを該受承孔から簡易に排除することができるものである。
【０００８】
請求項３に記載の考案は、請求項１または２記載のローラーチェーン用のチェーンカッターであって、前記ベース部材における支持部の厚さ寸法を、前記ローラーチェーンの当該切断部位のサイドローラーに対して隣り合う両サイドローラーの外周間の間隔より幅狭に設定したことを要旨とする。
【０００９】
この構成によれば、ベース部材における支持部の厚さ寸法を、前記ローラーチェーンの当該切断部位のサイドローラーに対して対向側における隣り合う両サイドローラーの外周間の間隔より幅狭に設定したことによって、設備装置に装設したままのローラーチェーンに対する切断作業に簡単に対応することができるものである。
【考案の効果】
【００１０】
請求項１記載の考案においては、ローラーチェーンを設備装置に装設した状態のまま、そのローラーチェーンにおけるリンクの切断作業に対応することができ、その切断作業にあっては、受承部材と作動筒部材により切断すべきローラーチェーンの当該切断部位のリンクを両側面から挟持するとともに、この受承部材の受承孔により切断部位のローラー及び同ローラーの軸ピンを受け入れ、該作動筒部材に対して前記軸ピン排出軸体を螺進動作することによって切断すべきローラーチェーンの当該切断部位の軸ピンを押出し、軸ピンをリンクから抜脱することができ、構造簡単にして、その取扱いの利便性を良化向上することができる。
【００１１】
請求項２記載の考案においては、リンクから軸ピンが抜脱された後において、受承孔に受け入れられているローラーを該受承孔から簡易に排除することができ、その取扱いの利便性のさらなる良化向上を図ることができる。
【００１２】
請求項３記載の考案においては、ローラーチェーンの切断作業にあって、該ローラーチェーンを設備装置からその都度、取り外すことなく、該設備装置に装設した状態のままで当該切断部位の切断作業に簡単に対応することができ、その取扱いの利便性を良化向上することができる。
【考案を実施するための最良の形態】
【００１３】
次に、本考案を実施するための最良の形態について、実施例にしたがって説明する。
【実施例】
【００１４】
まず、本実施例におけるローラーチェーンＲは、例えば、図３に示すように、内側に位置する一対の各内側リンクＲ１と、側に位置する一対の各外側リンクＲ２（本明細書では、これらを総称して単にリンクともいう。）と、該内側リンクＲ１と各外側リンクＲ２とをそれぞれ回動可能に連接する軸及び軸ピンＲ３（本明細書では、単に軸ピンという。）と、この軸ピンＲ３の一方軸端部の交互に回転可能に支承されたサイドローラーＲ４（本明細書では、単にローラーもいう。）とから搬送手段として所望の設備装置に装設されるものである。
【００１５】
次いで、本実施例のローラーチェーン用のチェーンカッター１は、図１及び図２に示すように、大別すると、所定の間隔をおいて相対向する対の支持部２、３が突設されたべース部材４と、一方の支持部２側に設けられた受承部材５と、他方の支持部３に対し前記受承部材５と対向状に設けられた作動筒部材６と、該作動筒部材６に対し移動可能に設けられた軸ピン排出軸体７とから構成されている。
【００１６】
前記ベース部材４は、所定の厚さのほぼＣ形状に形成され、その開口部側の両突出端部を、所定の間隔をおいて相対向する対の支持部２、３（図では左側を一方の支持部２、右側を他方の支持部３という。）となし、この開口部側に対向するほぼ中央部には、外周面に滑り止め用のローレット加工が施された操作用の把持棒８が突出状に螺着されている。そして、一方の支持部２の幅方向には切断すべきローラーチェーンＲの当該切断部位のローラーＲ４及び同ローラーＲ４の軸ピンＲ３を受け入れ可能な受承孔９が貫設され、この受承孔９の外側寄りはねじ孔１０となして筒状に形成された前記受承部材５が該受承孔９に対するねじ込み深さの調整可能でかつ取外し可能に螺合されている。なお、ベース部材４における一方の支持部２の厚さは、前記ローラーチェーンＲにおける当該切断部位のサイドローラーＲ４に対して隣り合う両サイドローラーＲ４、Ｒ４の外周間の間隔より若干幅狭でかつ該サイドローラーＲ４の外径より広い寸法に形成されている。
【００１７】
前記ベース部材４における他方の支持部３の幅方向には、前記一方の支持部２の受承孔９と同一軸心のねじ孔１１が形成されていて、該ねじ孔１１に前記作動筒部材６のねじ軸部１２が該一方の支持部２内面に向う方向及び一方の支持部２内面から離間する方向への移動可能に貫通状態で螺合されている。
この作動筒部材６の中心軸方向には段差状の挿通孔１３が貫設されており、前記ねじ軸部１２の後端部側（図１及び図２では右端側）には該作動筒部材６の回動（螺進・螺退）操作用の角軸状の把持部１４が一体に形成されかつ先端部側（図１及び図２では左端側）には前記一方の支持部２の内面とにより切断すべきローラーチェーンＲの当該切断部位のリンク（外側リンクＲ２）を両側面から挟持する当接部１９が一体状に形成されている。
なお、段差状の挿通孔１３の大径部はねじ孔１５となしている。
【００１８】
前記軸ピン排出軸体７は、後端部（図１及び図２では右端側）に操作ハンドル１６を有するねじ軸１７と、該ねじ軸１７の先端部（図１及び図２では左端部）に同一軸心上に延出された押出軸１８とから構成され、この押出軸１８を作動筒部材６の段差状の挿通孔１３及び当接部１８に挿通した状態で前記した前記作動筒部材６における挿通孔１３のねじ孔１５に対しそのねじ軸１７が該作動筒部材６と同方向への移動可能に螺合されている。
【００１９】
なお、前記作動筒部材６におけるねじ軸部１２と軸ピン排出軸体７におけるねじ軸１７とは同方向のねじ部、例えば、時計方向の回転に対して螺進（図において左動）しかつ反時計方向の回転に対して螺退（図において右動）するねじ部として構成されている。
【００２０】
本実施例のチェーンカッター１は上述のように構成されてものであり、以下その使用状態について説明する。
さて、図３に示すように、切断すべきローラーチェーンＲの当該切断部位において、ベース部材４における一方の支持部２の受承孔９内に該サイドローラーＲ４を嵌合するとともに、このサイドローラーＲ４の軸ピンＲ３に対して他方の支持部３側における作動筒部材６の当接部１９を対向位置させる。この場合、ベース部材４は、作業者が把持棒８を把持することにより支持（保持されるものである。また、サイドローラーＲ４が受承孔９に嵌合された状態においては、その端面が該受承孔９に螺合された受承部材５の内端面に当接された状態となる。
【００２１】
この状態を維持しながら、他方に支持部３に対し、前記作動筒部材６を把持部１４を介して図示時計方向に回転（右回転）して螺進（軸ピンＲ３に向う方向）し、その当接部１９を軸ピンＲ３の端面に当接させる。この状態にあって、一方の支持部２側と作動筒部材６の当接部１９によってローラーチェーンＲの当該切断部位における両リンク（外側リンクＲ２）を両側から挟持するものである。
【００２２】
そこで、前記作動筒部材６に対し、軸ピン排出軸体７をその操作ハンドル１６を介して図示時計方向に回転（右回転）して螺進（軸ピンＲ３に向う方向）すると、該軸ピン排出軸体７の押出軸１８が前記作動筒部材６の当接部１９から延出され、この押出軸１８によって前記軸ピンＲ３を両リンク（内側リンクＲ１、外側リンクＲ２）及びサイドローラーＲ４から押出して抜脱するものである。（図４参照）
【００２３】
この場合、前記抜脱された軸ピンＲ３は一方の支持部２の受承孔９、すなわち、筒状の受承部材５内に位置されてそのまま外部に排出可能とされるが、サイドローラーＲ４は該受承孔９にその嵌合状態のまま位置されるものである。
【００２４】
そして、前記該軸ピン排出軸体７及び作動筒部材６をそれぞれ、前記逆方向の図示反時計方向に回転（左回転）して螺退（軸ピンＲ３に離間する方向）することによって、該軸ピン排出軸体７の押出軸１８を両リンク（内側リンクＲ１、外側リンクＲ２）から待避して、ここに、ローラーチェーンＲの当該切断部位における軸ピンＲ３を両リンク（内側リンクＲ１、外側リンクＲ２）から抜脱してローラーチェーンＲの切断、すなわち、リンクの切断を完了するものである。
【００２５】
ついで、一方の支持部２における受承孔９から受承部材５を螺退して取外すことによって前記軸ピンＲ３及び受承孔９に嵌合状態のサイドローラーＲ４を該受承孔９から取除くものである。（図４参照）
【００２６】
上記のようにして、本実施例のチェーンカッター１は、ベース部材４における支持部２の厚さを、前記ローラーチェーンＲにおける当該切断部位のサイドローラーＲ４に対して隣り合う両サイドローラーＲ４、Ｒ４の外周間の間隔より若干幅狭でかつ該サイドローラーＲ４の外径より広い寸法に形成することによって、ローラーチェーンＲが搬送手段として所望の設備装置に装設された状態のまま、該ローラーチェーンＲの当該切断部位の切断作業に簡単に対応することができ、その取扱いの利便性を良化向上するものである。
【００２７】
また、両リンク（内側リンクＲ１、外側リンクＲ２）から軸ピンＲ３が抜脱された後において、受承孔９に受け入れられて（嵌合されて）いるサイドローラーＲ４を該受承孔９から簡易に排除することができ、その取扱いの利便性のさらなる良化向上を図るものである。
【００２８】
上述した実施例において、各部材の形状等の各構成は、本考案の主旨を逸脱しない範囲において種々変更が可能である。
【図面の簡単な説明】
【００２９】
【図１】本考案の一実施例を示すチェーンカッター全体の正面図である。
【図２】同じくチェーンカッター全体を示す一部破断の正面図である。
【図３】切断時の使用状態を示す平面図である。
【図４】同じく切断終了時の状態及びベース部材から受承部材を取り外して抜脱したサイドローラー及び軸ピンを示す説明図である。
【符号の説明】
【００３０】
１  チェーンカッター
２  支持部
３  支持部
４  ベース部材
５  受承部材
６  作動筒部材
７  軸ピン排出軸体
９  受承孔
Ｒ  ローラーチェーン
Ｒ１  内側リンク
Ｒ２  外側リンク
Ｒ３  軸ピン
Ｒ４  サイドローラー
【図１】
0003147838.tif 000003
【図２】
0003147838.tif 000004
【図３】
0003147838.tif 000005
【図４】
0003147838.tif 000006